(57)【要約】【課題】装置の基本的な機能を実行するようなアイコンがシステムから削除されてしまうことを防ぐ。【解決手段】表示部３２は、ある機能の実行を選択するための基本アイコンと、この基本アイコンと関連性のある関連アイコンを含む操作画面を表示する。制御部３１は、表示部３２により画面上に表示されたアイコンの削除の指示を受付けると、削除の指示を受付けたアイコンが基本アイコンの場合、削除の指示を受付けた基本アイコンを削除せず、削除の指示を受付けたアイコンが関連アイコンの場合、削除の指示を受付けた関連アイコンを削除する処理を実行する。【選択図】図３
2018055147.tif 000002
【特許請求の範囲】
【請求項１】
ある機能の実行を選択するための基本アイコンと、前記基本アイコンと関連性のある関連アイコンを含む画面を表示する表示手段と、
前記表示手段により画面上に表示されたアイコンの削除の指示を受付ける指示受付手段と、
前記アイコンが基本アイコンの場合、前記指示受付手段で、基本アイコンを削除されないように制御する制御手段と、
を備えた情報処理装置。
【請求項２】
前記制御手段は、前記アイコンが関連アイコンの場合、削除の指示を受付けた関連アイコンを削除するように制御する請求項１記載の情報処理装置。
【請求項３】
前記関連アイコンは、利用者により予め設定された設定値が対応付けられていることを特徴とする請求項１又は２記載の情報処理装置。
【請求項４】
前記設定値が、前記基本アイコンを選択することにより表示される画面において入力された値に基づいて設定されることを特徴とする請求項３記載の情報処理装置。
【請求項５】
前記制御手段は、前記アイコンが基本アイコンの場合、削除の指示を受付けた基本アイコンを削除せずに非表示とするように制御する請求項１から４のいずれか記載の情報処理装置。
【請求項６】
前記制御手段は、前記アイコンが関連アイコンの場合、削除の指示を受付けた関連アイコンを削除するか非表示とするかを利用者に選択させ、利用者の選択に基づいて関連アイコンを削除または非表示とするように制御する請求項１から４のいずれか記載の情報処理装置。
【請求項７】
非表示とされた基本アイコンおよび関連アイコンの情報を記憶しておき、再表示の指示を受けた基本アイコン又は関連アイコンを前記表示手段に再表示させる再表示手段をさらに備えた請求項５又は６記載の情報処理装置。
【請求項８】
ある機能の実行を選択するための基本アイコンと、前記基本アイコンと関連性のある関連アイコンを含む画面を表示する表示手段と、
前記表示手段により画面上に表示された複数のアイコンの削除の指示を受付ける指示受付手段と、
前記複数のアイコンに基本アイコンが含まれる場合、前記指示受付手段で、基本アイコンを削除されないように制御する制御手段と、
を備えた情報処理装置。
【請求項９】
ある機能の実行を選択するための基本アイコンと、前記基本アイコンと関連性のある関連アイコンを含む画面を表示する表示ステップと、
前記表示ステップにおいて画面上に表示されたアイコンの削除の指示を受付ける指示受付ステップと、
前記アイコンが基本アイコンの場合、前記指示受付ステップにおいて、基本アイコンを削除されないように制御する制御ステップとをコンピュータに実行させるためのプログラム。
【発明の詳細な説明】
【技術分野】
【０００１】
本発明は、情報処理装置およびプログラムに関する。
【背景技術】
【０００２】
特許文献１には、ユーザがよく選択する調整項目からなるカスタマイズメニューを階層型メニューに追加及び削除できるようにして、それぞれのユーザに対して少ないメニュー操作で必要とする調整項目を迅速且つ簡単に選択して適宜調整できるようにしたカスタマイズメニュー方式が開示されている。
【０００３】
特許文献２には、任意のタイプのオブジェクトを管理し編成するために、或いは特定のオブジェクトを管理し編成するためにオーガナイザ・オブジェクトを作成することにより、デスクトップ内で管理されるオブジェクトを編成する方法及び情報処理システムが開示されている。
【０００４】
特許文献３には、キー選択画面に表示された動作モード設定キーを管理者等のユーザの操作に基づいて非表示に変更する場合に、非表示への変更を指示された動作モード設定キーを無条件に非表示に変更するのではなく、非表示への変更を指示された動作モード設定キーの下位階層に、非表示への変更を規制するように予め設定された動作モード設定キーが存在している場合には、変更を指示された動作モード設定キーの非表示への変更処理を行わないようにした画像処理装置が開示されている。
【先行技術文献】
【特許文献】
【０００５】
【特許文献１】特開平０９−３０５３６０号公報
【特許文献２】特開平１０−３３３７９７号公報
【特許文献３】特開２０１１−１６８０３１号公報
【発明の概要】
【発明が解決しようとする課題】
【０００６】
ある機能を実現するアプリケーションプログラム（以降アプリと略す。）に対応したアイコンを画面上に表示させ、このアイコンが選択される、選択されたアイコンに対応したアプリを起動させて特定の機能を実現するような情報処理装置が提供されている。
【０００７】
使用する可能性の低いアプリに対応するアイコンを画面から非表示にする操作を行い、非表示にする操作を行ったアイコンの一覧の中からアイコンを選択すると、選択されたアイコンを再度画面に表示する技術が知られている。しかし、使用する可能性が低いアイコを全て非表示にすると前記一覧に表示されるアイコンが多くなり、所望するアイコンの選択は、アイコンの数が少ない場合に比べて困難になる。したがって、今後使用する可能性が低いアプリの中には、一覧に残さずシステムから削除したい場合がある。しかしアプリによっては、システムから一旦削除されると利用者はアプリに対応するアイコンを画面に表示することができず、アプリを実行することができなくなる問題がある。又は利用者がアイコンを表示する方法を有していたとしても、再度表示するためには課金が必要とされてしまうことが問題となる。
【０００８】
本発明の目的は、装置の基本的な機能を実行するようなアイコンがシステムから削除されてしまうことを防ぐことが可能な情報処理装置およびプログラムを提供することである。
【課題を解決するための手段】
【０００９】
［情報処理装置］
請求項１に係る本発明は、ある機能の実行を選択するための基本アイコンと、前記基本アイコンと関連性のある関連アイコンを含む画面を表示する表示手段と、
前記表示手段により画面上に表示されたアイコンの削除の指示を受付ける指示受付手段と、
前記アイコンが基本アイコンの場合、前記指示受付手段で、基本アイコンを削除されないように制御する制御手段とを備えた情報処理装置である。
【００１０】
請求項２に係る本発明は、前記制御手段が、前記アイコンが関連アイコンの場合、削除の指示を受付けた関連アイコンを削除するように制御する請求項１記載の情報処理装置である。
【００１１】
請求項３に係る本発明では、前記関連アイコンは、利用者により予め設定された設定値が対応付けられていることを特徴とする請求項１又は２記載の情報処理装置である。
【００１２】
請求項４に係る本発明は、前記設定値が、前記基本アイコンを選択することにより表示される画面において入力された値に基づいて設定されることを特徴とする請求項３記載の情報処理装置である。
【００１３】
請求項５に係る本発明は、前記制御手段が、前記アイコンが基本アイコンの場合、削除の指示を受付けた基本アイコンを削除せずに非表示とするように制御する請求項１から４のいずれか記載の情報処理装置である。
【００１４】
請求項６に係る本発明は、前記制御手段が、前記アイコンが関連アイコンの場合、削除の指示を受付けた関連アイコンを削除するか非表示とするかを利用者に選択させ、利用者の選択に基づいて関連アイコンを削除または非表示ように制御する請求項１から４のいずれか記載の情報処理装置である。
【００１５】
請求項７に係る本発明は、非表示とされた基本アイコンおよび関連アイコンの情報を記憶しておき、再表示の指示を受けた基本アイコン又は関連アイコンを前記表示手段に再表示させる再表示手段をさらに備えた請求項５又は６記載の情報処理装置である。
【００１６】
請求項８に係る本発明は、ある機能の実行を選択するための基本アイコンと、前記基本アイコンと関連性のある関連アイコンを含む画面を表示する表示手段と、
前記表示手段により画面上に表示された複数のアイコンの削除の指示を受付ける指示受付手段と、
前記複数のアイコンに基本アイコンが含まれる場合、前記指示受付手段で、基本アイコンを削除されないように制御する制御手段とを備えた情報処理装置である。
【００１７】
[プログラム]
請求項９に係る本発明は、ある機能の実行を選択するための基本アイコンと、前記基本アイコンと関連性のある関連アイコンを含む画面を表示する表示ステップと、
前記表示ステップにおいて画面上に表示されたアイコンの削除の指示を受付ける指示受付ステップと、
前記アイコンが基本アイコンの場合、前記指示受付ステップにおいて、基本アイコンを削除されないように制御する制御ステップとをコンピュータに実行させるためのプログラムである。
【発明の効果】
【００１８】
請求項１に係る本発明によれば、装置の基本的な機能を実行するようなアイコンがシステムから削除されてしまうことを防ぐことが可能な情報処理装置を提供することができる。
【００１９】
請求項２に係る本発明によれば、基本アイコンに関連する関連アイコンについては削除可能な情報処理装置を提供することができる。
【００２０】
請求項３に係る本発明によれば、利用者により予め設定された設定値が対応付けられた関連アイコンについては削除可能としつつ、装置の基本的な機能を実行するようなアイコンがシステムから削除されてしまうことを防ぐことが可能な情報処理装置を提供することができる。
【００２１】
請求項４に係る本発明によれば、基本アイコンを選択することにより表示される画面において入力された値に基づいて設定された設定値が対応付けられた関連アイコンについては削除可能としつつ、装置の基本的な機能を実行するようなアイコンがシステムから削除されてしまうことを防ぐことが可能な情報処理装置を提供することができる。
【００２２】
請求項５に係る本発明によれば、基本アイコンの削除の指示を受付けた場合にはその基本アイコンを非表示とすることにより、装置の基本的な機能を実行するようなアイコンがシステムから削除されてしまうことを防ぐことが可能な情報処理装置を提供することができる。
【００２３】
請求項６に係る本発明によれば、関連アイコンの削除の指示を受付けた場合には、その関連アイコンを非表示とするか削除するかを利用者に選択できるようにした情報処理装置を提供することができる。
【００２４】
請求項７に係る本発明によれば、非表示にした基本アイコンおよび関連アイコンを再表示させることが可能な情報処理装置を提供することができる。
【００２５】
請求項８に係る本発明によれば、複数のアイコンに対する削除の指示を受付けた場合でも、装置の基本的な機能を実行するようなアイコンがシステムから削除されてしまうことを防ぐことが可能な情報処理装置を提供することができる。
【００２６】
請求項９に係る本発明によれば、装置の基本的な機能を実行するようなアイコンがシステムから削除されてしまうことを防ぐことが可能なプログラムを提供することができる。
【図面の簡単な説明】
【００２７】
【図１】本発明の一実施形態の情報処理装置である画像形成装置１０を含む画像形成システムの構成を示す図である。
【図２】本発明の一実施形態における画像形成装置１０のハードウェア構成を示すブロック図である。
【図３】本発明の一実施形態における画像形成装置１０の機能構成を示すブロック図である。
【図４】本発明の一実施形態の画像形成装置１０における表示部３２の表示内容の一例を示す図である。
【図５】図４に示したホーム画面の表示内容を拡大したものを示す図である。
【図６】ワンタッチアプリの作成方法を説明するための図である。
【図７】ワンタッチアプリの作成方法を説明するための図である。
【図８】ワンタッチアプリの作成方法を説明するための図である。
【図９】ワンタッチアプリの作成方法を説明するための図である。
【図１０】ワンタッチアプリの作成方法を説明するための図である。
【図１１】ワンタッチアプリの作成方法を説明するための図である。
【図１２】ワンタッチアプリの作成方法を説明するための図である。
【図１３】ワンタッチアプリの作成方法を説明するための図である。
【図１４】ワンタッチアプリ作成後のホーム画面例を示す図である。
【図１５】カスタマイズボタン６０を操作することにより表示されるカスタマイズ画面を示す図である。
【図１６】ワンタッチアプリアイコン８０の削除ボタン９０を操作した場合に表示される表示内容を示す図である。
【図１７】非表示となったアイコンを操作画面上に再表示させる際の操作方法を説明するための図である。
【図１８】カスタマイズ画面上において「非表示アイコンリストボタン」９１を操作した際に表示される表示画面を示す図である。
【図１９】アイコンの種類による可能な操作の一覧表を示す図である。
【図２０】フォルダアイコン８１により複数のワンタッチアプリを格納した際のホーム画面例を示す図である。
【図２１】図２０に示した操作画面上において、カスタマイズボタン６０を操作することにより表示されるカスタマイズ画面を示す図である。
【図２２】フォルダアイコン８１に対する削除の指示が行われた際に表示される確認画面を示す図である。
【図２３】フォルダアイコン８１の削除の指示を行った場合に、フォルダアイコン８１内に格納されていたアイコンの種類に応じた処理を説明するための図である。
【発明を実施するための形態】
【００２８】
次に、本発明の実施の形態について図面を参照して詳細に説明する。
【００２９】
図１は本発明の一実施形態の情報処理装置である画像形成装置１０を含む画像形成システムの構成を示す図である。
【００３０】
本実施形態の画像形成システムは、図１に示されるように、ネットワーク３０により相互に接続された画像形成装置１０、および端末装置２０により構成される。端末装置２０は、印刷データを生成して、ネットワーク３０経由にて生成した印刷データを画像形成装置１０に対して送信する。画像形成装置１０は、端末装置２０から送信された印刷データを受け付けて、印刷データに応じた画像を用紙上に出力する。なお、画像形成装置１０は、印刷（プリント）機能、スキャン機能、複写（コピー）機能、ファクシミリ機能等の複数の機能を有するいわゆる複合機と呼ばれる装置である。
【００３１】
次に、本実施形態の画像形成システムにおける画像形成装置１０のハードウェア構成を図２に示す。
【００３２】
画像形成装置１０は、図２に示されるように、ＣＰＵ１１、メモリ１２、ハードディスクドライブ（ＨＤＤ）等の記憶装置１３、ネットワーク３０を介して外部の装置等との間でデータの送信及び受信を行う通信インタフェース（ＩＦ）１４、タッチパネル又は液晶ディスプレイ並びにキーボードを含むユーザインタフェース（ＵＩ）装置１５、スキャナ１６、プリントエンジン１７を有する。これらの構成要素は、制御バス１８を介して互いに接続されている。
【００３３】
プリントエンジン１７は、帯電、露光、現像、転写、定着などの工程を経て印刷用紙等の記録媒体上に画像を印刷する。
【００３４】
ＣＰＵ１１は、メモリ１２または記憶装置１３に格納された制御プログラムに基づいて所定の処理を実行して、画像形成装置１０の動作を制御する。なお、本実施形態では、ＣＰＵ１１は、メモリ１２または記憶装置１３内に格納された制御プログラムを読み出して実行するものとして説明したが、当該プログラムをＣＤ−ＲＯＭ等の記憶媒体に格納してＣＰＵ１１に提供することも可能である。
【００３５】
図３は、上記の制御プログラムが実行されることにより実現される画像形成装置１０の機能構成を示すブロック図である。
【００３６】
本実施形態の画像形成装置１０は、図３に示されるように、制御部３１と、表示部３２と、記憶部３３と、画像読取部３４と、通信部３５と、画像出力部３６とを備えている。
【００３７】
表示部３２は、いわゆるタッチパネル等の操作パネルにより構成され、画像形成装置１０に対する操作を受け付けたり、操作結果、処理結果等をユーザに示すために表示する。そして、表示部３２は、ある機能の実行を選択するための基本アイコンと、この基本アイコンと関連性のある関連アイコンを含む操作画面を表示する。
【００３８】
ここで、基本アイコンとは、コピー、スキャン、ファクシミリ送信、機器設定、認証設定等の画像形成装置１０の基本的な機能を実行するためのアプリ又はプログラムを起動するためのアイコンである。また、関連アイコンとは、基本アイコンに基づいて生成されたワンタッチアプリアイコン等の基本アイコンに関連して生成されたアイコンを意味する。
【００３９】
記憶部３３は、制御部３１による処理が行われる際の途中の画像データ等を一時的に記憶するためのメモリである。
【００４０】
画像読取部３４は、セットされた原稿を読取って画像データに変換する処理を行っている。
【００４１】
通信部３５は、端末装置２０等の外部装置との間でデータのソース受信を行い、端末装置２０からの印刷ジョブを受信したり、画像データをファクシミリ送信したり、電子メールの送受信等を行っている。
【００４２】
画像出力部３６は、制御部３１による指示に基づいて動作を行って、画像データを印刷用紙等の記録媒体上に印刷して出力する処理を実行する。
【００４３】
制御部３１は、表示部３２、記憶部３３、画像読取部３４、通信部３５、画像出力部３６等を制御して、印刷処理、複写処理、原稿画像の読取り処理等の様々な処理を実行している。
【００４４】
そして、制御部３１は、表示部３２により画面上に表示されたアイコンの削除の指示を受付けると、削除の指示を受付けたアイコンが基本アイコンの場合、削除の指示を受付けた基本アイコンを削除されないように制御し、削除の指示を受付けたアイコンが関連アイコンの場合、削除の指示を受付けた関連アイコンを削除するように制御する。
【００４５】
そして、制御部３１は、削除の指示を受付けたアイコンが基本アイコンの場合、削除の指示を受付けた基本アイコンを削除せずに非表示とするように制御する。
【００４６】
ここで、ワンタッチアプリ等の関連アイコンは、ユーザ（利用者）により予め設定された設定値が対応付けられている。そして、この設定値は、基本アイコンを選択することにより表示される画面において入力された値に基づいて設定される。
【００４７】
そして、制御部３１は、削除の指示を受付けたアイコンを削除する場合、このアイコンが選択されたことにより実行される機能に関するアプリ、カスタマイズ情報等の各種データを自装置である画像形成装置１０から削除するように制御する。
【００４８】
なお、制御部３１、削除の指示を受付けたアイコンが関連アイコンの場合、削除の指示を受付けた関連アイコンを削除するか非表示とするかをユーザに選択させ、ユーザの選択に基づいて関連アイコンを削除または非表示ように制御する。
【００４９】
さらに、制御部３１は、非表示とされた基本アイコンおよび関連アイコンの情報を記憶部３３に記憶しておき、表示の指示を受けた基本アイコン又は関連アイコンを表示部３２に再表示させる。
【００５０】
ここで、基本アイコンとは、自装置に予めインストールされているアプリに対応するアイコンが該当する。また、基本アイコンとは、一度削除すると利用者のみの設定では起動することができないアプリに対応するアイコンが該当する。さらに、自装置にインストールするためには課金が発生するようなアプリに対応するアイコンも基本アイコンに該当する。
【００５１】
また、関連アイコンとは、一連の複数の処理が関連付けられた、つまり、フロー処理が関連付けられたアイコンが該当する。
【００５２】
なお、本実施形態の画像形成装置１０では、複数のアイコンを格納可能なフォルダアイコンを用いて、複数のアイコンをまとめて操作画面上に表示されることが可能である。
【００５３】
そして、このようなフォルダアイコンを用いて複数のアイコンをまとめた場合、複数のアイコンに対して一括して削除の指示を行うことが可能である。
【００５４】
このような場合、制御部３１は、画面上に表示された複数のアイコンの削除の指示を受付ける。そして、制御部３１は、削除の指示を受付けた複数のアイコンに基本アイコンが含まれる場合、その基本アイコンを削除せずに非表示にする。また、制御部３１は、削除の指示を受付けた複数のアイコンのうち基本アイコン以外の関連アイコンを削除する。
【００５５】
次に、本実施形態の画像形成装置１０における表示部３２の表示内容について説明する。先ず、本実施形態の画像形成装置１０における表示部３２の表示内容の一例を図４に示す。
【００５６】
図４では、画像形成装置１０の待機状態に示されるホーム画面が表示部３２に表示されている場合が示されている。このホーム画面の表示内容を拡大したものを図５に示す。
【００５７】
図５に示されたホーム画面例では、ある機能の実行を選択するための複数のアイコン４１〜４５が表示部３２の操作画面上に表示されている。
【００５８】
例えば、アイコン４１は、コピー機能の実行を選択するためのアイコンでありユーザが指でタッチして選択することによりコピーアプリケーションプログラムが起動してユーザはコピー機能を利用することができるようになる。
【００５９】
同様にアイコン４２〜４５は、それぞれ、スキャン機能、ファクシミリ機能、電子メール送受信機能、機器設定機能を実行するためのアイコンである。
【００６０】
ここで、アイコンとは、操作画面上に表示され、特定のアプリケーションプログラム（以下アプリと略す。）を起動させたり、特定の画面に遷移したりするための操作位置を示すための絵柄図形である。そして、この絵柄図形には、単にデザインされた図形だけでなく、アルファベット、ひらがな、カタカタ、漢字等の各種文字が含まれる場合もある。
【００６１】
ここで、図５に示したようなアイコン４１〜４５は、画像形成装置１０の基本的な機能を実行するための基本アイコンである。この基本アイコンを削除して、基本アイコンに対応したアプリを削除してしまうと、利用者のみの設定ではアプリを実行することができなくなる。
【００６２】
そして、本実施形態の画像形成装置１０では、このような基本機能のアプリ以外に、ユーザ毎に機能をカスタマイズしたワンタッチアプリを生成することが可能となっている。
【００６３】
このようなワンタッチアプリの作成方法を図６〜図１３を参照して説明する。
【００６４】
先ず、ユーザはワンタッチアプリを作成したい基本機能のアイコンを選択する。ここでは、図６に示すように、ユーザが指７０によりコピー機能に対応したアイコン４１を選択したものとして説明する。
【００６５】
ユーザがコピー機能に対応したアイコン４１を選択したことにより、図７に示すようなコピー機能の各種設定項目の設定値を入力するような画面が表示される。図７では、印刷部数を「５」とする操作が行われる場合が示されている。
【００６６】
このコピーの操作画面には、表示部３２の表示領域以外にも各種設定値を入力するための画面が含まれているため、図８に示すように、ユーザは指７０により操作画面上を上方向に移動させることにより画面をスクロールさせ、下方の設定項目の画面を表示させる。
【００６７】
そして、図９に示すように、ユーザは、印刷部数以外の他の設定項目を操作して、ワンタッチアプリとして設定したい設定値を入力する。
【００６８】
上記のような方法により各種設定値の入力が終わり、図１０に示すように、ユーザが「登録する」と表記された登録ボタン５０を操作すると、入力した設定値の登録目的の選択画面が表示される。ここではユーザはワンタッチアプリを生成しようとしているため、表示された選択肢の中から「ワンタッチアプリとして登録」という選択肢を選択する。
【００６９】
すると、図１１に示すように、アイコンの形状の選択画面が表示部３２に表示される。このアイコンの形状の選択画面では、生成されるワンタッチアプリアイコンの形状をユーザの希望により選択することが可能となっている。
【００７０】
そして、ワンタッチアプリアイコンの形状の選択が終わると、図１２（Ａ）に示すように、実行モードの選択が行われる。この実行モードでは、「即実行モード」と「確認後実行モード」という２つの実行モードが選択可能となっている。「即実行モード」とは、ワンタッチアプリアイコンが選択された場合、このワンタッチアプリアイコンに対応したワンタッチアプリを即座に起動して実行するような実行モードである。また、「確認後実行モード」とは、ワンタッチアプリアイコンが選択された場合、このワンタッチアプリアイコンに対応したワンタッチアプリを即座に起動せず、一度ユーザに対して何等かの確認画面を表示して、ユーザがワンタッチアプリの起動を指示した場合に初めてワンタッチアプリを起動する実行モードである。
【００７１】
図１２（Ａ）に示した画面では、「確認後実行モード」が選択された場合が示されている。
【００７２】
そして、「確認後実行モード」が選択された場合、図１２（Ｂ）に示すような、確認画面上においてユーザに表示される文章の入力画面が表示部３２上に表示される。
【００７３】
図１２（Ａ）では、「原稿をセットしてから「スタートボタン」を押してください。」という文章が入力された場合が示されている。
【００７４】
ここで、今回生成しているワンタッチアプリの基本アプリ（生成元アプリ：親アプリ）がコピー機能のアプリであるため、「スタートボタン」という単語が初期状態において入力されている。もし、生成しているワンタッチアプリに対応した基本アプリが電子メール機能のアプリの場合、「送信ボタン」をいう単語が初期状態で入力されているようになっている。つまり、生成するワンタッチアプリの生成元の基本アプリの種類に応じて、予め設定された単語が初期状態において入力されるようになっている。
【００７５】
このような確認画面上で表示される文書の入力が完了すると、図１３に示すようなワンタッチアプリの名称入力画面が表示される。
【００７６】
この図１３に示した名称入力画面では、生成するワンタッチアプリの名称を入力するような画面となっている。図１３に示した画面例では、「コピー（鈴木）」という名称がワンタッチアプリの名称として入力された場合が示されている。
【００７７】
上記の図６〜図１３において説明したような方法によりワンタッチアプリの生成処理が実行されると、図１４に示すように表示部３２の操作画面上には、生成されたワンタッチアプリに対応したワンタッチアプリアイコン８０が追加される。
【００７８】
ユーザがこのワンタッチアプリアイコン８０を選択することにより、ユーザが予め入力された設定値に基づいたコピー機能を実行することができ、頻繁に利用する設定値を予めワンタッチアプリとして設定しておくことにより、設定値を変更する操作を減らすことが可能となる。
【００７９】
次に、図１４に示したようなホーム画面例において、表示内容を変更するカスタマイズ処理を実行する場合について説明する。
【００８０】
本実施形態の画像形成装置１０では、表示部３２上の各アイコン４１〜４５、ワンタッチアプリアイコン８０の操作位置を移動させることができるようになっている。しかし、操作画面上に数多くのアイコンが表示されたのでは、数多くのアイコンの中から必要なアイコンを探さなくてはならず使い勝手が悪くなる。そのため、生成したワンタッチアプリアイコンが不要となった場合、不要となったワンタッチアプリアイコンを削除したり、また使用頻度の低いアイコンを非表示として操作画面上から消去することができるようになっている。
【００８１】
例えば、図１４に示したホーム画面例において、ユーザがカスタマイズボタン６０を操作すると、図１５に示すようなカスタマイズ画面が表示される。
【００８２】
この図１５に示したカスタマイズ画面では、アイコン４１〜４５、ワンタッチアプリアイコン８０の左端部に削除ボタン９０がそれぞれ表示される。
【００８３】
基本アイコンであるアイコン４１〜４５の削除ボタン９０を操作した場合、アイコン４１〜４５は操作画面上から消えて非表示になる。しかし、非表示となったアイコンに対応するアプリは画像形成装置１０のシステム上から削除されるわけではなく、後述する方法により再度操作画面上に表示させることが可能となっている。
【００８４】
次に、ユーザが生成したワンタッチアプリアイコン８０の削除ボタン９０を操作した場合、図１６に示すような表示内容が表示部３２上に表示される。
【００８５】
図１６に示す操作画面上では、ワンタッチアプリを削除するか、非表示とするか、またはこのワンタッチアプリに対する削除処理をキャンセルするかという選択肢が示されている。
【００８６】
ここで、ユーザが「削除」を選択した場合、操作画面上からワンタッチアプリアイコン８０が消去されるとともに、このワンタッチアプリアイコン８０に対応するワンタッチアプリ、このワンタッチアプリに関連するカスタマイズ情報等のデータが全て削除され、データを再び利用することができなくなる。
【００８７】
つまり、ユーザがワンタッチアプリアイコンの削除を選択した場合には、ワンタッチアプリ自体が消去され、再度同じワンタッチアプリが必要となった場合には、上記で説明したような方法により希望する設定値を順番に入力してワンタッチアプリを生成する必要がある。
【００８８】
また、図１６に示した操作画面において、ユーザが「非表示」を選択した場合、操作画面上からワンタッチアプリアイコン８０が消去されるが、このワンタッチアプリアイコン８０に対応するワンタッチアプリ、このワンタッチアプリに関連するカスタマイズ情報等のデータはそのまま残される。そして、非表示となったワンタッチアプリアイコン８０を、後述する方法により再度操作画面上に表示させることが可能となっている。
【００８９】
次に、上述したような方法により非表示となったアイコンを操作画面上に再表示させる際の操作について説明する。
【００９０】
非表示となったアイコンを操作画面上に再表示させる際には、図１７に示すように、カスタマイズ画面上において「非表示アイコンリストボタン」９１を操作する。
【００９１】
すると、図１８に示すような操作画面が表示され、非表示となっていたアイコンのリストが表示される。図１８に示した操作画面では、上記で説明したような方法により削除された「コピー（鈴木）」というワンタッチアプリアイコンや、「アドレス帳」という基本アイコンが非表示となっている場合が示されている。
【００９２】
そして、ユーザが非表示アイコンリストの中から、再表示させたいアイコンを選択すると、選択されたアイコンは操作画面上に再表示される。
【００９３】
つまり、本実施形態の画像形成装置１０では、図１９に示すように、基本的な機能を実行するための基本アイコンに対しては、削除の指示を受けた場合でも、削除されず非表示とする処理のみが実行可能となっている。
【００９４】
これに対して、基本アイコンと関連性のあるワンタッチアプリアイコン（関連アイコン）に対しては、削除する処理と非表示にする処理の両方の処理を実行可能となっている。
【００９５】
次に、フォルダアイコンを用いて複数のアイコンをまとめて表示した場合に、このフォルダアイコンに対して削除の指示がされた場合の動作を説明する。
【００９６】
例えば、図２０に示す操作画面では、フォルダアイコン８１により複数のワンタッチアプリが格納されてまとめて表示される様子が示されている。
【００９７】
このような状態でカスタマイズボタン６０が操作されると、図２１に示すようなカスタマイズ画面が表示される。図２１に示すカスタマイズ画面では、フォルダアイコンの左端部に削除ボタン９０が表示されており、この削除ボタン９０が操作されることによりフォルダアイコン８１に対する削除の指示が行われる。
【００９８】
このようなフォルダアイコン８１に対する削除の指示が行われると、図２２に示すような確認画面が表示される。ここでは、削除の指示を受けたフォルダアイコン８１内が空ではないため、フォルダのみを削除するのかフォルダと中のアイコンを削除するのか、又は、削除の指示をキャンセルするのかの選択肢が示される。
【００９９】
ここで、ユーザがフォルダのみ削除を選択した場合、フォルダアイコン８１内に格納していたアイコンがそれぞればらばらになってホーム画面上に表示されるようになる。
【０１００】
また、他のアイコンを含んでいない空のフォルダアイコンに対して削除の指示が行われた場合には、ユーザに対する確認画面を表示することなく、そのフォルダアイコンの削除が実行される。
【０１０１】
そして、図２２に示した確認画面上において、ユーザが「フォルダとの中のアイコンを削除」というボタンを選択した場合、図２３に示すように、フォルダアイコン８１内に格納されていたアイコンが基本アイコンの場合には非表示となる。
【０１０２】
そして、ユーザが「フォルダとの中のアイコンを削除」というボタンを選択した場合、フォルダアイコン８１内に関連アイコンが含まれていた場合、ユーザに「削除」または「非表示」を選択するような確認画面が再度表示される。
【０１０３】
そして、ユーザが「削除」を選択した場合には、フォルダアイコン８１内に格納されていた関連アイコンは削除され、ユーザが「非表示」を選択した場合には、フォルダアイコン８１内に格納されていた関連アイコンは非表示となる。
【０１０４】
なお、本実施形態では、基本アイコンに関連する関連アイコンとして、ユーザにより生成されたワンタッチアプリアイコンを一例として用いて説明したが、関連アイコンはユーザにより生成されたアイコンに限定されるものではなく、ユーザに納入される前に予め装置にインストールされているアプリが関連アイコンに該当する場合もある。
【０１０５】
また、どのようなアイコンを基本アイコンにし、どのようなアイコンを関連アイコンにするかは、上記で説明した本実施形態に限定されるものではない。例えば、外部から再インストールし易いアプリに対応したアイコンについては削除することができる関連アイコンとして、外部から再インストールし難いアプリに対応したアイコンについては削除することができない基本アイコンとするようにしても良い。また、課金することによりダウンロードしたアプリに対応したアイコンについては削除することができない基本アイコンとするようにしても良い。さらに、データ容量が大きくてダウンロードや再インストールに時間を要するようなアプリに対応したアイコンについても削除することができない基本アイコンとするようにしても良い。
【０１０６】
また、本実施形態では、ホーム画面のカスタマイズが行われる際には、基本アイコンであるアイコン４１〜４５と関連アイコンであるワンタッチアプリアイコン８０の両方のアイコンに対して、左上部に削除ボタン９０を表示していた。そして、本実施形態では、基本アイコンであるアイコン４１〜４５については削除ボタン９０が操作された場合でもアイコン４１〜４５のアプリをシステムから削除しないようにしていた。
【０１０７】
しかし、本実施形態はこのような構成に限定されるものではなく、基本アイコンであるアイコン４１〜４５については削除ボタン９０を表示しないようにして、アイコン４１〜４５に対する削除の指示を受付けできないようにしても良い。また、基本アイコンであるアイコン４１〜４５については削除ボタン９０を表示するがグレーアウト表示等の操作不可能なことが分かるような表示とするようにして、アイコン４１〜４５に対する削除の指示を受付けできないようにしても良い。
【０１０８】
[変形例]
上記実施形態では、画像形成装置に対して本発明を適用した場合を用いて説明したが、本発明はこれに限定されるものではなく、スマートフォン、タブレット端末装置、携帯電話装置、ノートパソコン等の、画面上にアイコンを表示する各種情報処理装置に対しても同様に本発明を適用することができるものである。
【符号の説明】
【０１０９】
１０    画像形成装置
１１    ＣＰＵ
１２    メモリ
１３    記憶装置
１４    通信インタフェース（ＩＦ）
１５    ユーザインタフェース（ＵＩ）装置
１６    スキャナ
１７    プリントエンジン
１８    制御バス
２０    端末装置
３０    ネットワーク
３１    制御部
３２    表示部
３３    記憶部
３４    画像読取部
３５    通信部
３６    画像出力部
４１〜４５    アイコン
６０    カスタマイズボタン
７０    指
８０    ワンタッチアプリアイコン
８１    フォルダアイコン
９０    削除ボタン
【図１】
2018055147.tif 000003
【図２】
2018055147.tif 000004
【図３】
2018055147.tif 000005
【図４】
2018055147.tif 000006
【図５】
2018055147.tif 000007
【図６】
2018055147.tif 000008
【図７】
2018055147.tif 000009
【図８】
2018055147.tif 000010
【図９】
2018055147.tif 000011
【図１０】
2018055147.tif 000012
【図１１】
2018055147.tif 000013
【図１２】
2018055147.tif 000014
【図１３】
2018055147.tif 000015
【図１４】
2018055147.tif 000016
【図１５】
2018055147.tif 000017
【図１６】
2018055147.tif 000018
【図１７】
2018055147.tif 000019
【図１８】
2018055147.tif 000020
【図１９】
2018055147.tif 000021
【図２０】
2018055147.tif 000022
【図２１】
2018055147.tif 000023
【図２２】
2018055147.tif 000024
【図２３】
2018055147.tif 000025